(57)【要約】【課題】施錠追従動作の精度向上を図る。【解決手段】電気錠装置１は、手動操作による機械的な施錠が可能な主錠１１と、主錠１１の施錠に追従して電気的に施錠が可能な副錠１２とを含む複数の錠前２と、扉１３の開閉状態を検知する扉開閉検知手段５と、少なくとも主錠１１の施錠を検知する検知手段３と、複数の錠前２のすべてが解錠状態であって、主錠１１が手動操作により機械的に施錠され、扉開閉検知手段５が閉扉を検知し、かつ検知手段３が主錠１１の施錠を検知したときに、主錠１１の施錠に追従して副錠１２を電気的に施錠制御する制御手段６とを備える。【選択図】図１
2013209855.tif 000002
【特許請求の範囲】
【請求項１】
手動操作による機械的な施錠が可能な主錠と、該主錠の施錠に追従して電気的に施錠が可能な副錠とを含む複数の錠前と、
扉の開閉状態を検知する扉開閉検知手段と、
少なくとも前記主錠の施錠を検知する検知手段と、
前記複数の錠前のすべてが解錠状態であって、前記主錠が手動操作により機械的に施錠され、前記扉開閉検知手段が閉扉を検知し、かつ前記検知手段が前記主錠の施錠を検知したときに、該主錠の施錠に追従して前記副錠を電気的に施錠制御する制御手段とを備えたことを特徴とする電気錠装置。
【発明の詳細な説明】
【技術分野】
【０００１】
本発明は、例えば住宅の玄関扉などの各種扉に採用され、１つの扉に複数個の錠前が設けられた電気錠装置に関するものである。
【背景技術】
【０００２】
例えば住宅の玄関扉などの各種扉に採用される電気錠装置としては、防犯性の向上を図るべく、１つの扉に２個の錠前を装備した１ドア２ロックの電気錠装置が従来より知られている。この種の電気錠装置では、例えば下記特許文献１に示すように、閉扉時に、一方の錠前をシリンダーまたはサムターンで解錠から施錠にすると、この一方の錠前の施錠に追従して他方の錠前が自動で施錠する施錠追従動作を行っている。これにより、利便性の向上を図っている。
【０００３】
図３はこの種の従来の電気錠装置の施錠追従動作のフローチャート図である。図３に示すように、施錠追従動作では、施錠時において、２個の錠前（主錠、副錠）が両方とも解錠状態であるか否かを判別するとともに（ＳＴ１１）、閉扉か否かを判別する（ＳＴ１２）。そして、２個の錠前が両方とも解錠状態であると判定し（ＳＴ１１−Ｙｅｓ）、かつ閉扉であると判定したときに（ＳＴ１２−Ｙｅｓ）、施錠追従動作が働く開始条件である「閉扉２ロック解錠」の条件を満たすので、一方の錠前（主錠）が施錠されたか否かを判別し（ＳＴ１３）、一方の錠前（主錠）が施錠されたと判定すると、この一方の錠前（主錠）の施錠に追従して他方の錠前（副錠）を施錠する（ＳＴ１４）。
【先行技術文献】
【特許文献】
【０００４】
【特許文献１】特許第４４７０９４３号公報
【発明の概要】
【発明が解決しようとする課題】
【０００５】
このように、従来の電気錠装置の施錠追従動作は、閉扉時にしか働かない仕様となっていた。このため、閉扉を検知する前、すなわち扉が完全に閉まりきる前にシリンダーまたはサムターンで一方の錠前を解錠から施錠にすると、閉扉を検知する前に、一方の錠前が施錠になってしまい、施錠追従動作が働く開始条件である「閉扉２ロック解錠」の条件を満たさなくなり、他方の錠前が施錠追従動作しないという問題があった。この施錠追従動作が働かないという問題は、特に、扉と扉枠との隙間、いわゆるチリが広い扉の場合、閉扉検知範囲が狭くなるために起こりやすかった。
【０００６】
また、駆動源として二次電池を用いた電気錠装置では、電池消耗を抑えるため、モニタの変化の確認を１〜２秒程度の周期で行っている。そして、周期の谷間で「開扉：２ロック解錠」から閉扉により「閉扉：２ロック解錠」となり、手動操作にて上側の錠前が施錠されて「閉扉：上側施錠＋下側解錠」になると、「閉扉２ロック解錠」の条件を満たさなくなり、下側の錠前が施錠追従動作しないという問題が生じる。この施錠追従動作が働かないという問題は、閉扉直後に一方の錠前を施錠した場合に起こりやすかった。
【０００７】
そこで、本発明は上記問題点に鑑みてなされたものであり、施錠追従動作の精度向上を図ることができる電気錠装置を提供することを目的とするものである。
【課題を解決するための手段】
【０００８】
上記した目的を達成するために、請求項１に記載された電気錠装置は、手動操作による機械的な施錠が可能な主錠と、該主錠の施錠に追従して電気的に施錠が可能な副錠とを含む複数の錠前と、
扉の開閉状態を検知する扉開閉検知手段と、
少なくとも前記主錠の施錠を検知する検知手段と、
前記複数の錠前のすべてが解錠状態であって、前記主錠が手動操作により機械的に施錠され、前記扉開閉検知手段が閉扉を検知し、かつ前記検知手段が前記主錠の施錠を検知したときに、該主錠の施錠に追従して前記副錠を電気的に施錠制御する制御手段とを備えたことを特徴とする。
【発明の効果】
【０００９】
本発明によれば、扉が完全に閉まりきる前（閉扉を検知する前）に手動操作により主錠を施錠にしても、閉扉後に副錠を追従して確実に施錠することができる。
【図面の簡単な説明】
【００１０】
【図１】本発明に係る電気錠装置の概略構成を示すブロック図である。
【図２】本発明に係る電気錠装置の施錠時の動作を示すフローチャート図である。
【図３】従来の電気錠装置の施錠時の動作を示すフローチャート図である。
【発明を実施するための形態】
【００１１】
以下、本発明を実施するための形態について、添付した図面を参照しながら詳細に説明する。なお、この実施の形態によりこの発明が限定されるものではなく、この形態に基づいて当業者などによりなされる実施可能な他の形態、実施例及び運用技術などはすべて本発明の範疇に含まれる。
【００１２】
本発明に係る電気錠装置は、例えば住宅の玄関扉などの各種扉に採用され、１つの扉に複数個の錠前が取り付けられたものである。ここでは、電気錠装置として、１つの扉に２個の錠前が取り付けられた１ドア２ロックの構成を例にとって説明する。
【００１３】
図１に示すように、電気錠装置１は、錠前２、錠前状態検知手段３、手動操作検知手段４、扉開閉検知手段５、制御手段６、駆動手段７を備えて概略構成される。
【００１４】
錠前２は、主錠１１と副錠１２からなる。主錠１１は、２個の錠前２のうち、施解錠時に最初に操作される錠前である。具体的に、主錠１１は、室内側のサムターンの回転操作や室外側のシリンダーの鍵穴への鍵の挿入回転操作などの手動操作による機械的な施錠（及び／又は解錠）と、駆動手段７の通電による電気的な施錠（及び／又は解錠）が可能な錠前で構成される。
【００１５】
副錠１２は、主錠１１の施解錠に追従して施解錠が可能な錠前である。具体的に、副錠１２は、室外側のシリンダーの鍵穴への鍵の挿入回転操作などの手動操作による機械的な施錠（及び／又は解錠）と、駆動手段７の通電による電気的な施錠（及び／又は解錠）が可能な錠前で構成される。
【００１６】
錠前状態検知手段３は、錠前２の現在の状態として、主錠１１と副錠１２のそれぞれの現在の状態が施錠状態、解錠状態の何れの状態にあるかを検知するもので、主錠状態検知手段３ａと副錠状態検知手段３ｂからなる。
【００１７】
主錠状態検知手段３ａは、従来より周知の構成であり、例えばマイクロスイッチ、ホールＩＣ、フォトインタラプタ等で構成される。主錠状態検知手段３ａは、主錠１１のデッドボルトが完全に突出した状態を施錠状態と検知し、主錠１１のデッドボルトが完全に引っ込んだ状態を解錠状態と検知しており、主錠１１のストライクの係止穴に対する主錠１１のデッドボルトの進退位置に応じて施錠状態又は解錠状態を示す検知信号を制御手段６に出力している。
【００１８】
副錠状態検知手段３ｂは、主錠状態検知手段３ａと同等に構成され、副錠１２のデッドボルトが完全に突出した状態を施錠状態と検知し、副錠１２のデッドボルトが完全に引っ込んだ状態を解錠状態と検知しており、副錠１２のストライクの係止穴に対する副錠１２のデッドボルトの進退位置に応じて施錠状態又は解錠状態を示す検知信号を制御手段６に出力している。
【００１９】
手動操作検知手段４は、施錠時の主錠１１の手動操作（室内側のサムターンの回転操作、室外側のシリンダーの鍵穴への鍵の挿入回転操作）の有無を検知するもので、施錠時に主錠１１の室内側のサムターンが回転操作されたときや室外側からシリンダーの鍵穴に鍵を挿入して回転操作され、主錠状態検知手段３ａの状態が施錠に変化したときに、直前に制御手段６に施錠制御信号が入力されたか否かを検知している。
【００２０】
なお、手動操作検知手段４は、解錠時の主錠１１の手動操作の有無、施錠時の副錠１２の手動操作の有無、解錠時の副錠１２の手動操作の有無も同様の手法により検知している。
【００２１】
扉開閉検知手段５は、従来より周知の構成であり、例えば扉枠側のストライク内に設けられる磁石と、磁石に対応して扉１３側に設けられる磁気センサとから構成される。扉開閉検知手段５は、扉１３の開閉操作により、磁石の磁界が及ぶ閉扉検出範囲に磁気センサが位置するときを閉扉状態と検知し、閉扉検出範囲から外れて磁気センサが位置するときを開扉状態と検知しており、扉１３の開閉状態に応じた検知信号を制御手段６に出力している。
【００２２】
制御手段６は、後述する図２のフローチャート図の処理を含め、錠前２（主錠１１、副錠１２）の施錠及び解錠に関する処理を統括制御するものである。すなわち、制御手段６は、錠前状態検知手段３、手動操作検知手段４、扉開閉検知手段５からのそれぞれの検知信号を入力とし、現在の錠前２（主錠１１、副錠１２）の施解錠状態、現在の扉１３の開閉状態、手動操作の有無を判別している。そして、これらの判別結果に応じて駆動手段７に制御信号（施錠制御信号、解錠制御信号）を出力し、錠前２（主錠１１、副錠１２）の施錠及び解錠を制御している。
【００２３】
駆動手段７は、モータやソレノイドなどで構成され、制御手段６からの制御信号により錠前２（主錠１１、副錠１２）を施錠駆動又は解錠駆動している。さらに説明すると、駆動手段７は、制御手段６から施錠制御信号が入力されると主錠１１のシリンダーを回転駆動して主錠１１を施錠し、この主錠１１の施錠に追従して副錠１２を施錠している。これに対し、駆動手段７は、制御手段６から解錠制御信号が入力されると主錠１１のシリンダーを回転駆動して主錠１１を解錠し、この主錠１１の解錠に追従して副錠１２を解錠している。
【００２４】
次に、上記構成による電気錠装置１の施錠時の動作について図２のフローチャート図を参照しながら説明する。
【００２５】
まず、制御手段６は、錠前状態検知手段３からの検知信号により、全ての錠前２（主錠１１、副錠１２）が解錠状態か否かを判別する（ＳＴ１）。制御手段６は、全ての錠前２（主錠１１、副錠１２）が解錠状態であると判定すると（ＳＴ１−Ｙｅｓ）、手動操作検知手段４により、主錠１１が手動操作による施錠であるか否か（通電による電気的な施錠ではないか否か）を判別する（ＳＴ２）。
【００２６】
そして、制御手段６は、主錠１１が手動操作による施錠である（通電による電気的な施錠ではない）と判定すると（ＳＴ２−Ｙｅｓ）、扉開閉検知手段５からの検知信号により、扉１３が閉扉であるか否かを判別する（ＳＴ３）。制御手段６は、扉１３が閉扉になるまで待機し、扉１３が閉扉であると判別すると（ＳＴ３−Ｙｅｓ）、駆動手段７に施錠制御信号を出力する。そして、駆動手段７は、制御手段６から施錠制御信号が入力されると、主錠１１の施錠に追従して副錠１２を施錠する（ＳＴ４）。
【００２７】
これに対し、制御手段６は、主錠１１が手動操作による施錠ではない（通電による電気的な施錠である）と判定すると（ＳＴ２−Ｎｏ）、図３の従来の処理フローのＡに移行する。図３の処理フローのＡに移行すると、制御手段６は、扉１３が閉扉であるか否かを判別し（ＳＴ１２）、扉１３が閉扉であると判定し（ＳＴ１２−Ｙｅｓ）、「閉扉２ロック解錠」の施錠追従動作が働く開始条件を満たすと、駆動手段７に施錠制御信号を出力する。そして、駆動手段７は、制御手段６から施錠制御信号が入力されると、主錠１１が施錠されたか否かを判別し（ＳＴ１３）、主錠１１が駆動手段７の通電により電気的に施錠されたと判定すると、この主錠１１の施錠に追従して副錠１２を施錠する（ＳＴ１４：施錠追従動作）。
【００２８】
なお、制御手段６は、電気錠装置１により錠前２（主錠１１、副錠１２）を解錠する場合、錠前状態検知手段３及び扉開閉状態検知手段５からの検知信号により、全ての錠前２（主錠１１、副錠１２）が施錠状態で扉が閉扉状態であると判定すると（閉扉２ロック施錠）、駆動手段７に解錠制御信号を出力する。そして、駆動手段７は、制御手段６から解錠制御信号が入力されると、主錠１１を解錠し、この主錠１１の解錠に追従して副錠を解錠する。
【００２９】
このように、本例の電気錠装置１によれば、１つの扉１３に対して２個の錠前（主錠１１、副錠１２）を設けた１ドア２ロックの構成において、従来の施錠追従動作が働く開始条件である「閉扉２ロック解錠」を変更し、全ての錠前２（主錠１１、副錠１２）が解錠状態にある「２ロック解錠」から開扉している扉１３を閉めつつ扉１３が完全に閉まりきる前（閉扉を検知する前）に手動操作により主錠１１を施錠した場合であっても、閉扉後に副錠１２を主錠１１の施錠に追従して確実に施錠することができ、施錠追従動作の精度向上を図ることができる。このため、閉扉検知範囲が狭いチリの広い扉にも本例の電気錠装置１を採用することができる。また、二次電池を駆動源とした場合でも、必ず施錠追従動作を働かせることができる。
【００３０】
ところで、上述した実施の形態では、手動操作による機械的な施錠（解錠）と、電気的な施錠（解錠）が可能な主錠１１及び副錠１２から錠前２が構成されるものとして説明したが、この構成に限定されるものではない。すなわち、主錠１１は、少なくとも手動操作による機械的な施錠及び／又は解錠が可能な構成であれば良い。また、副錠１２は、少なくとも主錠１１に追従して電気的に施錠が可能な構成であれば良い。
【００３１】
さらに、上述した実施の形態では、１つの扉１３に対し、１個の主錠１１に追従動作する１個の副錠１２を設けた構成（１ドア２ロックの構成）を図１に示して説明したが、副錠１２の数が１個に限定されるものではなく、２個以上の副錠１２を設けた構成であっても良い。
【符号の説明】
【００３２】
１  電気錠装置
２  錠前
３  錠前状態検知手段
３ａ  主錠状態検知手段
３ｂ  副錠状態検知手段
４  手動操作検知手段
５  扉開閉検知手段
６  制御手段
７  駆動手段
１１  主錠
１２  副錠
１３  扉
【図１】
2013209855.tif 000003
【図２】
2013209855.tif 000004
【図３】
2013209855.tif 000005